(57)【特許請求の範囲】
【請求項１】
ビニールハウスにおける温度調整構造であって、
前記ビニールハウスの内部空間のうち栽培対象の近傍周囲を取り囲むように区画された空間からなる、温調空間と、
前記温調空間に暖冷気を送り込む、空調機と、
前記温調空間内での前記暖冷気の流れを生成する、送風機と、
を少なくとも有し、
前記栽培対象が、高設栽培用の栽培ベッドに植えられており、
前記温調空間の長手方向の一端側に前記空調機を設け、
前記温調空間の長手方向の他端側に前記送風機を設け、
前記送風機が、前記温調空間のうち前記栽培ベッドよりも下方の空間において前記空調機側へと送風し、
前記温調空間のうち前記栽培ベッドよりも上方の空間では、前記空調機からの暖冷気が前記送風機側に流れて循環することを特徴とする、
ビニールハウスにおける温度調整構造。
【請求項２】
前記空調機の近傍周囲を取り囲むように区画された空間からなる、閉塞空間を更に有し、
前記閉塞空間から、前記温調空間に前記暖冷気を送り込むことを特徴とする、
請求項１に記載のビニールハウスにおける温度調整構造。
【請求項３】
前記温調空間にＣＯ２ガスを送り込む、ＣＯ２供給機を更に有することを特徴とする、
請求項１または２に記載のビニールハウスにおける温度調整構造。
【請求項４】
前記温調空間が、前記ビニールハウス内の地面と、前記栽培ベッドの周囲を覆うように敷設したシートによって形成されていることを特徴とする、
請求項１乃至３のうち何れか１項に記載のビニールハウスにおける温度調整構造。
【発明の詳細な説明】
【技術分野】
【０００１】
本発明は、農業用のビニールハウスの室温保持をより低コストで実現するための温度調整構造に関する。
【背景技術】
【０００２】
農業用のビニールハウスにおける温度調整方法について、以下の特許文献に記載の技術が知られている。
特許文献１には、加温機、温度センサ、循環扇、制御装置を備えた暖房制御システムであって、温度センサを介して取得した温度情報に基づいて、加温機および循環扇を連携運転させることで、燃料コスト等の削減に寄与するとした技術が開示されている。
また、特許文献２には、砂栽培ベッドの真下に温風暖房のダクトを設置することで保温性を向上させる技術が開示されている。
【先行技術文献】
【特許文献】
【０００３】
【特許文献１】特許第５６４４３０号公報
【特許文献２】実開昭５２−１３６０４８号公報
【発明の概要】
【発明が解決しようとする課題】
【０００４】
しかし、上記特許文献に記載の技術では、以下に記載する問題のうち何れか１つの問題を有する。
（１）特許文献１では、ビニールハウスの中を全体的に温度調整する前提下で燃料コストの削減を目指しているに過ぎない。
（２）特許文献２では、栽培ベッドの近くに温風を流すダクトを配置することでベッド周辺を保温することを目指しているものの、ダクトの温風で加温された周囲の空気はビニールハウス内に分散されてしまい、効率向上に限界がある。
【０００５】
そこで、本発明は、農業用のビニールハウスにおいて、栽培対象周辺の温度調整をより低コストで実現するための温度調整構造を提供することを目的とする。
【課題を解決するための手段】
【０００６】
上記課題を解決すべくなされた本願の第１発明は、ビニールハウスにおける温度調整構造であって、前記ビニールハウスの内部空間のうち栽培対象の近傍周囲を取り囲むように区画された空間からなる、温調空間と、前記温調空間に暖冷気を送り込む、空調機と、前記温調空間内での前記暖冷気の流れを生成する、送風機と、を少なくとも有し、前記栽培対象が、高設栽培用の栽培ベッドに植えられており、前記温調空間の長手方向の一端側に前記空調機を設け、前記温調空間の長手方向の他端側に前記送風機を設け、前記送風機が、前記温調空間のうち前記栽培ベッドよりも下方の空間において前記空調機側へと送風し、前記温調空間のうち前記栽培ベッドよりも上方の空間では、前記空調機からの暖冷気が前記送風機側に流れて循環することを特徴とする。
また、本願の第２発明は、前記第１発明において、前記空調機の近傍周囲を取り囲むように区画された空間からなる、閉塞空間を更に有し、前記閉塞空間から、前記温調空間に前記暖冷気を送り込むことを特徴とする。
また、本願の第３発明は、前記第１発明または第２発明において、前記温調空間にＣＯ２ガスを送り込む、ＣＯ２供給機を更に有することを特徴とする。
また、本願の第４発明は、前記第１発明乃至第３発明のうち何れか１つの発明において、前記温調空間が、前記ビニールハウス内の地面と、前記栽培ベッドの周囲を覆うように敷設したシートによって形成されていることを特徴とする。
【発明の効果】
【０００７】
本発明によれば、以下に記載する効果のうち、少なくとも何れか１つの効果を有する。
（１）温調空間自体がビニールハウス内に設置された局所的なビニールハウスとして機能し、栽培対象の育成促進のための温度調整コストを削減できる。
（２）ビニールハウスの内部空間を区画して設けるか、あるいはビニールハウスとは別に設けた閉塞空間に空調機を設置することで、空調機からの暖冷気をビニールハウス全体に分散させることとなく、温調空間に直接届けることができる。
（３）温調空間を、ビニールハウス内の地面と、栽培ベッドの周囲を覆うように敷設したシートとで構成することで、シートの開け閉めでもって、温調空間の密閉度合いを簡単に調整することができる。
（４）温調空間にＣＯ２ガスを送り込むＣＯ２供給機を設けることで、ビニールハウス内に留まる作業従事者による二酸化炭素濃度増の悪影響を与えること無く、栽培対象の育成促進を図ることができる。
（５）空調機からの暖冷気を送風機で循環させることで、温調空間全体を均一に温度調整することができる。
【図面の簡単な説明】
【０００８】
【図１】実施例１に係るビニールハウスの温度調整構造を示す概略側面図。
【図２】温調空間のイメージを示す概略斜視図。
【図３】暖冷気の流れを示す概略側面図。
【図４】実施例２に係るビニールハウスの温度調整構造を示す概略側面図。
【図５】実施例３に係るビニールハウスの温度調整構造を示す概略側面図。
【発明を実施するための形態】
【０００９】
以下、図面を参照しながら、本発明の実施例について説明する。
【実施例１】
【００１０】
＜１＞全体構成（図１）
本発明の第１実施例について説明する。
本実施例に係るビニールハウスにおける温度調整構造は、図１に示すようにビニールハウスＡ内に設置した高設栽培用の栽培ベッド１０と、当該栽培ベッド１０に植えた栽培対象Ｂの近傍周囲を取り囲むように区画された空間である温調空間２０と、温調空間２０に暖冷気を送り込む空調機３０と、前記空調機３０の近傍周囲を取り囲むように区画された空間からなる閉塞空間４０と、温調空間２０内の暖冷気の流れを生成する送風機５０とを有して構成する。
【００１１】
＜２＞栽培ベッド（図２）
栽培ベッド１０は、栽培対象Ｂを植えておくための部材である。
本発明では、図２に示すように上部を開口した箱形の栽培ベッド１０を用いる。
この栽培ベッド１０をビニールハウスＡ内に適宜設置した架台１１に載置し、栽培ベッド１０に収容した砂や養液などの培地１２に栽培対象を植えることで高設栽培が可能な構成としている。
【００１２】
＜３＞温調空間（図１、図２）
温調空間２０は、栽培対象Ｂの周囲を望ましい温度環境に維持するための空間である。
温調空間２０は、前記ビニールハウスＡの内部空間Ａ１のうち、栽培対象Ｂの近傍周囲の空間を取り囲むように区画して構成する。
温調空間２０の形成するための構造や方法は特段限定しない。
本実施例では、図１に示すように、温調空間２０を、ビニールハウスＡ内の地面と、前記栽培ベッド１０の周囲を覆うように敷設したシート２１とで形成している。
【００１３】
＜３．１＞シート（図２）
シート２１は、温調空間２０を区画するための部材である。
シート２１は空気を通さない部材であることが好ましく、かつ可撓性を有する部材、例えばビニールシートなどを用いることができる。
このシート２１を、前記栽培ベッド１０に所定間隔を空けて取り付けたアーチ状の支柱材に対し、クリップなどを用いて脱着自在に取り付ける。
シート２１に透明の部材を用いると、栽培ベッド１０内部を視認できたり、日光の取り込みを許容できたりする点で好適である。
シート２１は、複数の栽培ベッド１０を長手方向に並べてある一列のベッド群の全長をまかなう一部材で構成してもよいし、前記一列のベッド群に対し複数のシート２１を連続配置して構成してもよい。前者の場合は、一列のベッド群に対し、シート２１の取り付け作業および取り外し作業が一手順で完結する点で好適であり、後者の場合は、一列のベッド群に対し部分的にシート２１を取り外して、栽培対象Ｂの様子の確認作業や、温調空間２０とビニールハウスＡ内のその余の空間との間を通気する作業を行う場合に好適である。
【００１４】
＜３．２＞温調空間の機能（図１）
上記の通り形成された温調空間２０は、それ自体がビニールハウスＡ内に設置された局所的なビニールハウスＡとして機能する。
なお、温調空間２０は、完全に密閉された空間であることを要するものではなく、シート２１の裾部と地面との間に隙間が形成されているような態様を本発明から除外するものではない。
【００１５】
＜４＞空調機（図１）
空調機３０は、暖冷気を生成するための装置である。
空調機３０は、暖房機能および冷房機能のうち少なくとも何れか一方の機能を有すればよく、エアコン、ボイラー、ストーブ、保温器その他の暖冷房装置が含まれる。
本実施例では、空調機３０を、後述する閉塞空間４０の中に設置している。
なお、空調機３０に送風機能が無い場合には、生成した暖冷気を温調空間２０に送るためのファンを別途設けておいても良い。
【００１６】
＜５＞閉塞空間（図１）
閉塞空間４０は、空調機３０の近傍周囲を取り囲むように区画された空間である。
閉塞空間４０は、ビニールハウスＡ内の作業空間の全てに連通する構成とはせず、前記した温調空間２０と連通するように構成する。
この閉塞空間４０の中の空調機３０から出力した暖冷気を前記温調空間２０に送り出していくことで、栽培ベッド１０の周囲を所定の温度に調整する。
なお、本発明における閉塞空間４０における「閉塞」とは、完全な密閉状態を意図するものではなく、作業員の出入口、空調機３０に必要な吸排気口、閉塞空間４０と連通する温調空間２０の構築時に僅かに形成される隙間などからの暖冷気の漏れは許容した上での、実質的な閉塞を意図するものである。
本実施例では、閉塞空間４０を、温調空間２０の長手方向一端側に接続するように設けている。
【００１７】
＜６＞送風機（図１）
送風機５０は、温調空間２０内の暖冷気の流れを制御するための装置である。
送風機５０は、温調空間２０内の温度ムラを防止するために、暖冷気を循環させるべく、所定の位置に設置する。
送風機５０は、サーキュレーターや工場扇、換気扇などを用いる事ができる。
本実施例では、複数の栽培ベッド１０を長手方向に並べてある一列のベッド群の周囲に形成された温調空間２０の内部において、前記閉塞空間４０を設けた端部側と反対側の端部であって、かつ栽培ベッド１０の下部に形成された空間へと送風可能な高さに送風機５０を設けている。
【００１８】
＜７＞使用イメージ（図２，３）
次に、図２，図３を参照しながら、本発明に係る温度調整構造の使用イメージについて説明する。
【００１９】
＜７．１＞使用状態（図３）
送風機５０の稼働によって温調空間２０内における栽培ベッド１０よりも下方の領域は、送風機５０から閉塞空間４０側へと空気が流れる。
この空気の流れに伴い、温調空間２０の長手方向他端側では、栽培ベッド１０の上部側から下部側へと折り返すように空気が流れる。
上記の流れによって、温調空間２０の上部側では、温調空間２０の長手方向一端側から他端側へと空気の流れができ、閉塞空間４０に出力された暖冷気は、温調空間２０の上部側の開口部へと流れる。また、温調空間２０の下部側は、送風機５０による空気の流れでもって、暖冷気の流れが逆流することを防止している。
【００２０】
＜７．２＞非使用時（図２）
温調空間２０内の温度が過度に上昇または低下している場合や、夜間など温度調整の必要性に乏しい場合には、図２で示したように、シート２１の側部を下から捲りロール状に巻き取るなどして開放しておけば、温調空間２０とビニールハウスＡ内のその余の空間との間を連通させて換気することができる。
【実施例２】
【００２１】
［ＣＯ２供給機の追加］（図４）
本発明の第２実施例について、図４を参照しながら説明する。
本発明では、温調空間２０にＣＯ２ガスを送り込む、ＣＯ２供給機６０を設けてもよい。なお、図４では、ＣＯ２供給機６０を空調機３０と同一空間に設置しているが、本発明では上記の設置例に限定するものではない。
ＣＯ２供給機６０は、炭酸ガス発生機や光合成促進機とも呼ばれる公知の装置を用いることができる。
また、本発明において空調機３０とＣＯ２供給機６０とは別体の装置であることを限定するものではなく、一体化した装置を用いても良い。
また、空調機３０として用いるボイラーの燃焼で排出された排気ガスに含まれるＣＯ２を流用してもよい。
このＣＯ２供給機６０からＣＯ２ガスを温調空間２０内に送り込むことで、温調空間２０内の二酸化炭素濃度を高めることができる。
また、温調空間２０内は、ビニールハウスＡ内のその余の空間から区画されているため、作業従事者が歩き回るその他の空間内の二酸化炭素濃度が高くなりにくく、息苦しさ、倦怠感、頭痛などの人体に対する影響も発生しない。
その結果、作業従事者の人体に悪影響を生じさせることなく、温調空間２０内の二酸化炭素濃度を光合成の促進が期待できる望ましい値にまで高めることができ、栽培対象Ｂの成長を促進させることができる。
【実施例３】
【００２２】
［土耕栽培での適用例］（図５）
本発明の第３実施例について、図５を参照しながら説明する。
本発明に係る温度調整構造は、いわゆる土耕栽培、すなわち栽培対象がビニールハウス内の地面に植えられている場合にも適用することができる。
図５に示す概略平面図では、一つのビニールハウスＡ内において、直線状に延びる畝Ｃを複数列配置しており、この畝Ｃ毎に温調空間２０を形成している。
温調空間２０は畝Ｃを跨ぐように配置したアーチ状の支柱材と、当該支柱材を骨組として畝の近傍周囲を覆うように敷設したシートでもって構成することができる。
温調空間２０の長手方向一端側は、空調機３０を設置している閉塞空間４０に接続している。
また、温調空間２０の長手方向他端側には、換気扇からなる送風機５０を設けつつ、ビニールハウスＡ内に別途設けたダクト７０を接続している。
各温調空間２０に接続したダクト７０の出口は閉塞空間４０へと繋がり、温調空間２０を通った暖冷気は、送風機５０によってダクトへと送られ、閉塞空間４０へと循環する。
また、図５に図示しないが、実施例２で説明した暖冷気の流路の途上に、ＣＯ２供給機を追加してもよい。
当該構成によっても、畝の周りに設けた温調空間自体がビニールハウス内に設置された局所的なビニールハウスとして機能し、栽培対象の育成促進のための温度調整コストを削減することができる。
【実施例４】
【００２３】
［閉塞空間の省略］（図示せず）
本発明では、閉塞空間４０を設けない構成とすることもできる（図示せず）。
例えば、空調機３０がダクト出力である場合、このダクトと温調空間２０とを接続させれば、空調機３０からの暖冷気を直接温調空間２０に送り込むこともできる。
【符号の説明】
【００２４】
１０：栽培ベッド
１１：架台
１２：培地
２０：温調空間
２１：シート
３０：空調機
４０：閉塞空間
５０：送風機
６０：ＣＯ２供給機
７０：ダクト
Ａ：ビニールハウス
Ａ１：内部空間
Ｂ：栽培対象
Ｃ：畝
【要約】
【課題】栽培対象周辺の温度調整をより低コストで実現すること。
【解決手段】ビニールハウスにおける温度調整構造であって、ビニールハウスＡの内部空間Ａ１のうち栽培対象Ｂの近傍周囲を取り囲むように区画された空間からなる温調空間２０と、温調空間２０に暖冷気を送り込む空調機３０を設ける。温調空間２０自体をビニールハウスＡ内に設置した局所的なビニールハウスとして機能させることで、栽培対象Ｂの育成促進のための温度調整コストを削減できる。
【選択図】図１【図１】
0006768168.tif 000002
【図２】
0006768168.tif 000003
【図３】
0006768168.tif 000004
【図４】
0006768168.tif 000005
【図５】
0006768168.tif 000006